(57)【要約】【課題】ガス圧力の急速な変化を可能にする改良されたガス導入システム及び方法を提供する。ガス流量を較正するための手段を含むガス導入システムを提供する。【解決手段】本発明は、分析装置用のガス導入システムに関する。このガス導入システムは、ガス流量を調節するための切り替え可能な流量制限部を含む。本発明はまた、ガス導入システム内のガス流量を較正するためのシステムも提供し、このシステムは、ガス流量計を含み、ガス導入システム内のガス流量コントローラの下流に配置された較正ラインを含む。ガス流量を調整する方法及びガス流量を較正する方法もまた提供される。【選択図】図１
2018098208.tif 000002
【特許請求の範囲】
【請求項１】
ガスの流れを分析装置に提供するためのガス導入システムであって、
前記分析装置にガスを送達するためのガス導入ラインであって、前記分析装置にガスを導入するように前記分析装置に連結可能であり、且つ、前記ガス導入ラインにガスを送達するように少なくとも１つのガス供給部に連結可能である、ガス導入ラインと、
前記ガス導入ライン上に配置されるか、又は、前記ガス導入ラインに流体連結された、少なくとも１つのガス流量制限アセンブリであって、少なくとも２つの切り替え可能な流量制限部を備える、少なくとも１つのガス流量制限アセンブリと、
前記少なくとも１つのガス流量制限アセンブリの下流にある制御ライン接合部で、前記ガス導入ラインに流体連結された少なくとも１つの制御ラインであって、少なくとも１つの背圧調整器、前記制御ラインへのガス流量を調整するための少なくとも１つの弁、及び前記背圧調整器の下流に配置された少なくとも１つの真空ポンプ、を備えた、少なくとも１つの制御ラインと、
前記制御ライン接合部と前記分析装置との間の前記ガス導入ライン上に配置された少なくとも１つの導入ガス流量制限部と、を備える、ガス導入システム。
【請求項２】
前記流量制限アセンブリは、流量制限部の並列配置として設けられ、
前記流量制限部は、別個の流量制限ガスライン上に配置され、別個の前記流量制限ガスラインは、前記ガス導入ラインにおいて、前記流量制限部の上流にある第１の制限接合部と、前記流量制限部の下流にあり且つ前記制御ライン接合部の上流にある第２の制限接合部とで合流する、請求項１に記載のガス導入システム。
【請求項３】
前記流量制限アセンブリは、２つの流量制限部の並列配置として設けられ、
前記流量制限部のうちの第１の流量制限部は、前記ガス導入ライン上に配置され、
前記流量制限部のうちの第２の流量制限部は、バイパスガスライン上に設けられ、前記バイパスガスラインは、前記ガス導入ラインに並列に配置され、前記流量制限部の上流にある第１の制限接合部と、前記流量制限部の下流にあり且つ前記制御ライン接合部の上流にある第２の制限接合部とで前記ガス導入ラインと合流する、請求項２に記載のガス導入システム。
【請求項４】
前記流量制限アセンブリは、２つの流量制限部の並列配置として設けられ、
前記流量制限部のうちの第１の流量制限部は、前記ガス導入ライン上に配置され、
前記流量制限部のうちの第２の流量制限部は、バイパスガスライン上に設けられ、前記バイパスガスラインは、前記ガス導入ラインに並列に配置され、前記流量制限部の上流にある第１の制限接合部と、マスフロー調整器と前記制御ライン接合部との間の前記制御ライン上の第２の制限接合部で前記ガス導入ラインと合流する、請求項１に記載のガス導入システム。
【請求項５】
少なくとも１つのさらなる流量制限部をさらに備え、
さらなる流量制限部の各々は、前記流量制限アセンブリの第１の流量制限部及び第２の流量制限部に並列に配置された別個のさらなるガスライン上に配置される、請求項２〜４のいずれか一項に記載のガス導入システム。
【請求項６】
前記制限アセンブリは、複数の並列ガスラインを備え、前記複数の並列ガスラインは、それぞれが流量制限部を備え、且つ、前記ガス流量制限部の上流にある第１の制限接合部、及び、前記ガス流量制限部の下流にある第２の制限接合部で合流する、請求項５に記載のガス導入システム。
【請求項７】
前記制限アセンブリは、２つ又はそれ以上の並列な流量制限部を備え、前記２つ又はそれ以上の並列な流量制限部は、前記流量制限部の任意の２つを通るガス流量の割合が、制限部を横切る同じ圧力差に関して、約１：２０〜１：１．５の範囲内、好ましくは約１：１５〜約１:１．５の範囲内、より好ましくは約１：１０〜約１：１．５の範囲内、さらにより好ましくは約１：７〜約１：２の範囲内、最も好ましくは約１：５〜約１：２の範囲内になるように適合されている、請求項１〜５のいずれか一項に記載のガス導入システム。
【請求項８】
前記分析装置は質量分析計である、請求項１〜７のいずれか一項に記載のガス導入システム。
【請求項９】
前記ガス導入ラインは、質量分析計の衝突セルに流体連結される、請求項８に記載のガス導入システム。
【請求項１０】
前記制御ラインに連結された前記真空ポンプは、質量分析計の真空ポンプシステムの一部である、請求項１〜９のいずれか一項に記載のガス導入システム。
【請求項１１】
請求項１〜１０のいずれか一項に記載のガス導入システムを備えた、分析装置。
【請求項１２】
分析装置用のガス導入システム内のガス流量を較正するためのシステムであって、
分析装置にガスを提供するためのガス導入ラインと、
第１の較正接合部を介して前記ガス導入ラインに流体連結されたガス流量較正ラインであって、少なくとも１つのガス流量計を備える、ガス流量較正ラインと、
前記ガス導入ラインを介して前記分析装置、又は、前記第１の較正接合部を介して前記ガス流量較正ラインのいずれかにガス流を選択的に導くための少なくとも１つの弁と、を備え、
前記システム内のガス流は、前記少なくとも１つの弁の第１のガス流設定において、前記ガス流量較正ラインをバイパスし、前記ガス導入ラインを介して前記分析装置に導かれ、前記少なくとも１つの弁の第２のガス流設定において、前記ガス流量較正ラインを介して前記分析装置に導かれ、
前記第２のガス流設定において前記ガス流量較正ライン内で測定されるガス流量は、前記ガス導入ラインにおいて前記較正接合部に向かう一定のガス流量を前提として、前記第１のガス流設定における前記分析装置へのガス流量の測定値である、システム。
【請求項１３】
前記システムは、前記ガス導入ライン内のガス流量を制御するガス流量調整器の下流に配置されるように適合されている、請求項１２に記載のシステム。
【請求項１４】
前記ガス流量較正ラインは、第２の較正接合部で前記ガス導入ラインにさらに連結され、前記システム内のガス流は、前記第２の設定において、前記ガス流量較正ラインを通って、前記第１の較正接合部から前記第２の較正接合部へ導かれ、前記ガス導入ラインを前記第２の較正接合部の下流にある前記分析装置に連結するガス導入接合部を介して、前記分析装置に導かれる、請求項１２又は１３に記載のシステム。
【請求項１５】
前記ガス流量較正ラインは、前記ガス導入ラインと前記分析装置との間のガス導入接合部から流体的に分離された較正導入接合部を通って前記分析装置に連結され、前記システム内のガス流は、前記第２の設定において、前記ガス流量較正ラインを通って、前記第１の較正接合部から前記較正導入接合部へ及び前記分析装置へ導かれる、請求項１２又は１３に記載のシステム。
【請求項１６】
前記システムを囲むように適合された筐体をさらに備え、
前記システムを一定温度に維持するための手段をさらに備える、請求項１２〜１５のいずれか一項に記載のシステム。
【請求項１７】
前記筐体は、前記ガス流量較正ラインと、前記第１の較正接合部から前記分析装置まで伸びる前記ガス導入ラインの部分と、を少なくとも囲む、請求項１６に記載のシステム。
【請求項１８】
前記システムは、請求項１〜１１のいずれか一項に記載のガス導入システムの構成要素であって、前記導入ガス流量制限部と前記分析装置との間に配置される、請求項１７に記載のシステム。
【請求項１９】
前記分析装置は質量分析計である、請求項１２〜１８のいずれか一項に記載のシステム。
【請求項２０】
前記ガス導入ライン及び前記較正ラインは、質量分析計の衝突セルに流体連結される、請求項１９に記載のシステム。
【請求項２１】
分析装置のガス導入システム内のガス流量を調節する方法であって、
ガスを分析装置に提供するガス導入ラインに少なくとも１つのガス供給部から導入圧力（Ｐin）でガスを流すステップと、
前記ガス導入ラインのガス流の一部がガス制御ラインを通って流れるように、前記ガス導入ライン内のガス流の一部を前記ガス制御ラインに分離することによって、前記ガス導入ライン内の流量を調整するステップであって、前記ガス制御ラインは、前記ガス導入ラインに配置されて前記ガス導入ラインと制御ライン接合部で合流し、前記ガス制御ライン内のガス流量が背圧調整器によって制御されることにより、ガス流量コントローラの第１の設定において、前記ガス導入ライン内のガス流量及び／または前記制御ライン接合部での圧力（ＰA）が、第１の一定値に到達する、前記調整するステップと、
前記流量コントローラを第２の設定に調節し、前記流量コントローラが第２の設定にある間に、少なくとも１つ又はそれ以上のバイパスガスラインに前記ガス供給部からガスを流すステップであって、前記１つ又はそれ以上のバイパスガスラインは、前記ガス供給部と前記制御ライン接合部との間の前記ガス導入ラインに流体連結されている、調整し及びガスを流すステップと、
ガス流量及び／又は前記制御ライン接合部の圧力（ＰA）が第２の一定値に達するまで、前記バイパスガスラインを通るガス流量を維持するステップと、を含む、方法。
【請求項２２】
前記バイパスガスラインは、前記制御ライン接合部の上流にある、第１のバイパス接合部及び第２のバイパス接合部で前記ガス導入ラインに連結されている、請求項２１に記載の方法。
【請求項２３】
前記バイパスガスラインは、前記ガス供給部と前記制御ライン接合部との間の一端で前記ガス導入ラインに連結され、前記ガス流量コントローラの下流の他端で前記制御ラインに連結されている、請求項２１に記載の方法。
【請求項２４】
前記ガス流量及び／又は前記制御ライン接合部の圧力（ＰA）が第２の一定値に達した後、前記バイパスラインを通る前記ガス流を停止するステップをさらに含む、請求項２１〜２３のいずれか一項に記載の方法。
【請求項２５】
前記ガス導入ラインを通るガス流量を維持しながら、少なくとも１つのバイパスガスラインを通ってガスが流れることが許容される、請求項２１〜２４のいずれか一項に記載の方法。
【請求項２６】
前記ガス導入ラインから前記バイパスガスラインに分離されたガス流の部分は、総ガス流の約５０％〜約９８％、好ましくは約６０％〜約９５％、より好ましくは約６０％〜約８５％、さらに好ましくは約６５％〜約８０％の範囲内である、請求項２５に記載の方法。
【請求項２７】
前記バイパスガスラインを通るガス流量に対する前記ガス導入ラインを通るガス流量の比が、制限部を横切る同じ圧力差に関して、約１：２０〜１：１．５の範囲内、好ましくは約１：１５〜約１：１．５の範囲内、より好ましくは約１：１０〜約１：１．５の範囲内、さらにより好ましくは約１：７〜約１：２の範囲内、最も好ましくは約１：５〜約１：２の範囲内である、請求項２１〜２６のいずれか一項に記載の方法。
【請求項２８】
第１の期間にわたり第１のバイパスガスラインを通るガス流を迂回させて、前記制御ライン接合部での第１のガス流量を達成するステップと、
第２の期間にわたり前記第１のバイパスガスと並列に配置された第２のバイパスガスラインを通るガス流を迂回させて、前記制御ライン接合部での第２のガス流量を達成するステップと、をさらに含み、
前記第１のバイパスガスライン及び第２のバイパスガスラインは、２つの前記バイパスラインを通るガス流が、前記バイパスラインを横切る所与の固定のガス圧力差において異なるように、異なる流量制限部を含み、前記第１のバイパスガスラインを通るガス流を選択的に許容することにより、前記制御ライン接合部のガス流量が、第１の流量から第２の流量に調節され、前記第２のバイパスガスラインを通るガス流を選択的に許容することにより、前記制御ライン接合部のガス流量が、第３の流量に調節される、請求項２１〜２７のいずれか一項に記載の方法。
【請求項２９】
前記分析装置は質量分析計である、請求項２１〜２８のいずれか一項に記載の方法。
【請求項３０】
分析装置のガス導入システム内のガス流量を較正する方法であって、
前記ガス導入システムが、
少なくとも１つのガス供給部から前記分析装置にガスを提供するための、少なくとも１つのガス流量コントローラを含む、少なくとも１つのガス導入ラインと、
前記少なくとも１つのガス流量コントローラの下流にある、較正ライン接合部で前記ガス導入ラインに流体連結された少なくとも１つのガス較正ラインであって、前記較正ラインは少なくとも１つのガス流量計を含む、少なくとも１つのガス較正ラインと、を備え、
前記方法は、
前記少なくとも１つのガス流量コントローラによって前記分析装置へのガス流量を設定するステップと、
第１の期間にわたって、前記ガス較正ラインを通してガスを流し、それと同時に、前記較正ライン接合部の下流にある、前記ガス導入ラインを通ってガスが流れるのを防止するステップと、
前記第１の期間のうちの少なくとも一部分の間に、前記ガス較正ラインのガス流量を決定するステップと、
前記第１の期間に続く第２の期間にわたって、前記ガス導入ラインを通して前記分析装置へとガスを流し、それと同時に、前記ガス較正ラインを通ってガスが流れるのを防止するステップと、を含み、
前記第１の期間及び第２の期間中に、前記ガス流量コントローラのガス流設定は、一定の値に維持され、前記ガス較正ライン及び前記較正ライン接合部と前記分析装置との間に位置する前記ガス導入ラインの少なくとも一部は、一定温度に維持され、
前記第１の期間中に決定される前記ガス較正ラインのガス流量は、前記第２の期間中の前記ガス導入ライン内及び前記分析装置へのガス流量の測定値である、方法。
【請求項３１】
前記ガス導入ライン上の前記ガス流量コントローラは、ガス流量制御ライン上に設けられ、前記ガス流量制御ラインは、前記較正接合部の上流において、制御ライン接合部で前記ガス導入ラインに連結される、請求項３０に記載の方法。
【請求項３２】
前記ガス導入ラインは、請求項１〜１１のいずれか一項に記載のガス導入システムの一部である、請求項３０又は３１に記載の方法。
【請求項３３】
前記較正ライン及び前記制御ライン接合部と前記分析装置との間に位置する前記ガス導入ラインの少なくとも一部は、同じ温度で維持される、請求項３２に記載の方法。
【発明の詳細な説明】
【技術分野】
【０００１】
本発明は、真空下で動作する分析器を含む分析器等の分析装置用のガス導入システムに関する。本発明はさらに、分析器へのガス圧力及び／またはガス流量の急速な変化を達成するための方法に関する。
【背景技術】
【０００２】
誘導結合プラズマ質量分析法（ＩＣＰ−ＭＳ）は、金属及び特定の非金属を、非干渉の低バックグラウンド同位体で、１０15の一部と同等に低い（１０００兆分の１、ｐｐｑ）非常に低い濃度の濃度で検出することができる分析手法である。この方法は、分析すべき試料を誘導結合プラズマでイオン化し、次いで質量分析計を使用して生成したイオンを分離して定量化することを要する。
【０００３】
プラズマは、アルゴン原子、自由電子及びアルゴンイオンの高エネルギー化された混合物を生成するために、電磁コイル内のガス、普通はアルゴンをイオン化することによって生成される。
【０００４】
特定の要素は、ＩＣＰ−ＭＳによる検出限界が比較的低いことが知られている。これらは、主に、プラズマガス、マトリックス成分または試料を可溶化するために使用される溶媒から誘導されるイオンによって生成されるスペクトル干渉に悩まされるものである。例としては、56Ｆｅの決定のための40Ａｒ16Ｏ、39Ｋの決定のための38ＡｒＨ、40Ｃａの決定のための40Ａｒ、80Ｓｅの決定のための40Ａｒ40Ａｒ、75Ａｓの決定のための40Ａｒ35Ｃｌ、52Ｃｒの決定のための40Ａｒ12Ｃ及び51Ｖの決定のための35Ｃｌ16Ｏを含む。
【０００５】
この問題の１つの解決法は、分析器の前に位置付けされた衝突／反応セルを含む衝突セル技術（ＩＣＰ−ＣＣＴ）によって提供される。一般には、イオンを収束するために高周波モードで動作する多重極を含むこのセルに、ヘリウムまたは水素のような衝突ガスが導入される。衝突ガスは、細胞内のイオンと衝突して反応し、妨害イオンを無害な非妨害種または妨害を引き起こさない他のイオンに変換する。
【０００６】
存在し得る妨害種の範囲内に起因して、場合によっては、複数の衝突ガスを使用することが有用であり得る。これは、大抵、あるタイプのガスを衝突セルに流し、得られたデータを収集し、その後、別の衝突ガスに切り替えることを意味する。衝突ガスの流れは、普通約０．２〜１０ｍＬ／分の範囲内であり、通常は、マスフローコントローラによって制御される。
【０００７】
原理的には、使用される異なるタイプの衝突ガスの流れを制御するために、単一のマスフローコントローラを使用することが有用である。しかし、マスフローコントローラのデッドボリュームが大きいため、データを収集する前に衝突ガスを切り替える際に１０分を超えるガス置換が必要である。したがって、現在のシステムでは、使用される各衝突ガスに対して別個のマスフローコントローラが使用される。マスフローコントローラはかなり高価であるため、これは各器具の大幅な追加コストを招く。
【０００８】
単一のフローコントローラしか必要としないが、理想的には、ガスのより迅速な切り替えを単純で費用効果の高い方法で可能にするガス制御システムを提供することが望ましい。
【発明の概要】
【発明が解決しようとする課題】
【０００９】
本発明は、ガス圧力の急速な変化を可能にする改良されたガス導入システム及び方法を提供する。本発明はまた、ガス流量を較正するための手段を含むガス導入システムを提供する。
【課題を解決するための手段】
【００１０】
第１の態様では、本発明は、ガスの流れを分析装置に供給するためのガス導入システムを提供する。このシステムは、（ｉ）分析装置にガスを送達するためのガス導入ラインであって、この装置にガスを導入するように分析装置に、かつガス導入ラインにガスを送達するように少なくとも１つのガス供給部に連結可能である、ガス導入ラインと、（ｉｉ）ガス導入ライン上に配置されるか、またはガス導入ラインに流体連結された、少なくとも１つのガス流量制限アセンブリであって、少なくとも２つの切り替え可能な流量制限を備える、少なくとも１つのガス流量制限アセンブリと、（ｉｉｉ）少なくとも１つのガス流量制限アセンブリの下流にある制御ライン接合部で、ガス導入ラインに流体連結された少なくとも１つの制御ラインであって、少なくとも１つのガス流量コントローラと、制御ラインへのガス流量を調整するための少なくとも１つの弁と、を備えた少なくとも１つの制御ラインと、（ｉｖ）制御ライン接合部と分析装置との間のガス導入ライン上に配置された少なくとも１つの導入ガス流量制限部と、を備える。
【００１１】
一般に、ガス導入システムは、ガスを分析装置または分析機器に送達するのに有用であり得る。本発明は、例えば、質量分析計、特に質量分析計の衝突セル、または光学分光計内の、または質量分析計、特に質量分析計の衝突セル、または光学分光計と組み合わせて、ガス導入システム等を提供するように拡張することができる。本発明は、質量分析計の衝突セルにガスを導入するためのガス導入システムを有する質量分析計にさらに拡張することができる。あるいは、このシステムは、ガスを分光計に導入するためのガス導入システムを有する光学分光計に拡張することができる。
【００１２】
また、分析装置のガス導入システム内のガス流量を調節する方法であって、この方法は、（ｉ）少なくとも１つのガス供給部からのガスを、分析装置にガスを供給するガス導入ラインに、入口圧力（Ｐin）で流すステップと、（ｉｉ）ガス導入ライン内のガス流の一部がガス制御ラインを通って流れるように、ガス導入ライン内のガス流の一部を、ガス導入ライン上に配置されて制御ライン接合部のガス導入ラインと合致するガス制御ラインに分離することによってガス導入ライン内の流量を調節するステップと、ガス制御ライン内のガス流量は、ガス流量コントローラによって制御され、ガス流量コントローラの第１の設定では、ガス導入ライン内のガス流量及び／または制御ライン接合部での圧力（ＰA）は、第１の一定値に達し、（ｉｉｉ）フローコントローラを第２の設定値に調整して、フローコントローラが第２の設定値にある間に、ガス供給部と制御ライン接合部との間のガス導入ラインに流体連結された１つ以上のバイパスガスラインに少なくとも供給するガスからのガスを流すステップと、（ｉｖ）制御ライン接合部のガス流量及び／または圧力（ＰA）が第２の一定値に達するまで、バイパスガスラインを通るガス流量を維持するステップと、を含む。
【００１３】
本文脈において、「一定値」という用語は、実際の値がその設定値から１％未満逸脱することを意味することを意図している。例えば、１００ｍｂａｒのガス圧力設定の場合、「一定値」という用語は、測定された圧力が設定値から１ｍｂａｒ未満で逸脱することを意味することを意図している。
【００１４】
ガス導入ラインからバイパスガスラインに分離されるガス流量の部分は、例えば約０．０００１％〜約９９．９％、約０．００１％〜約９９．９％、約０．０１％〜約９９．９％、または約０．１％〜約９９．９％など、総ガス流量の約０．００００１％〜約９９．９９％の範囲内であり得る。分離される下方範囲は、約０．００００１％、約０．０００１％、約０．００１％、約０．０１％、約０．１％、約０．５％または約１％であり得る。分離される上方範囲は、約９９．９９９％、約９９．９９％、約９９．９％、約９９．５％、約９９％、約９８％、約９７％、約９６％または約９５％であり得る。複数のバイパスガスラインとして設けられる場合、ガス導入ラインからバイパスガスラインに分離されるガス流量の部分は、約０．０００１％〜約９９．９％、約０．００１％〜約９９．９％、約０．０１％〜約９９．９％、または約０．１％〜約９９．９％など、総ガス流量の約０．００００１％〜約９９．９９％の範囲内であり得る。
【００１５】
ガス導入ラインを通るガス流量と、バイパスガスラインを通るガス流量との比は、制限部を横切る同じ圧力差に関して、約１：２０〜１：１．５の範囲、好ましくは約１：１５〜約１：１．５の範囲、より好ましくは約１：１０〜約１：１．５の範囲、さらにより好ましくは約１：７〜約１：２の範囲、最も好ましくは約１：５〜約１：２の範囲であり得る。
【００１６】
複数のバイパスガスラインとして設けられる場合、ガス導入ラインを通るガス流量と、バイパスガスラインを通る総ガス流量との比は、制限部を横切る同じ圧力差に関して、約１：１５〜約１：１．５の範囲、より好ましくは約１：１０〜約１：１．５の範囲、さらにより好ましくは約１：７〜約１：２の範囲、最も好ましくは約１：５〜約１：２の範囲であり得る。
【００１７】
流量制限アセンブリは、流量制限部の並列配置として提供され得、この流量制限部は、流量制限部の上流にある、第１の制限接合部と、制御ライン接合部の上流のガス導入ライン上の流量制限部から下流にある、第２の制限接合部とで、ガス導入ラインと合流する別個の流量制限ガスライン上に配置されている。「上流」は、分析装置に向かって流れるガスの方向という文脈において言及される。
【００１８】
第２の制限接合部は、ガス制御ライン上に配置されたガス流量コントローラの上流にある、ガス制御ライン上に（すなわち、制御ライン接合部により近くに）設けられてもよい。このような構成では、好ましくは、第２の制限接合部と制御ライン接合部との間の制御ライン上には流量制限部がないので、制御ライン接合部（ＰA）の圧力及び第２の制限接合部（ＰR2）の圧力は、任意の所与の時間において実質的に同様である。
【００１９】
ガス導入ラインを流れるガス用の複数の経路を有することにより、より高い制限からより低い制限に切り替えることによって、ガス導入ラインの圧力／ガス流量を迅速に変更することができる。この目的のために、流量制限ガスラインの下流連結部（第２の制限接合部）は、ガス制御ライン上のガス流量コントローラの上流にあるべきであるが、（ｉ）ガス制御ライン上のそのようなガス流量コントローラの上流、（ｉｉ）制御ライン接合部、または（ｉｉｉ）ガス導入ライン上の制御ライン接合部の上流であるが、ガス供給部とガス制御ライン接合部との間のガス導入ライン上に配置された流量制限の下流のいずれかに適切に配置され得る。
【００２０】
流量制限アセンブリはまた、あるいは別法として、２つ以上の流量制限部の並列配置として設けられ得、流量制限部の１つがガス導入ライン上に配置され、流量制限部の第２の制限部が、ガス導入ラインに並列に配置されて、流量制限部の上流にある、第１の制限接合部及び制御ライン接合部の上流の流量制限部にある、第２の制限接合部で、ガス導入ラインと合流するバイパスガスライン上に設けられる。
【００２１】
追加の流量制限部を含む配列として、流量制限アセンブリを設けることも可能である。したがって、このシステムは、少なくとも１つのさらなる流量制限部を含むことができ、このようなさらなる流量制限部の各々は、流量制限アセンブリ内の第１の流量制限部及び第２の流量制限部と並列に配置された別個のさらなるガスライン上に配置される。
【００２２】
流量制限アセンブリは、各々が１つ以上の流量制限部を含み、ガス流量制限部の上流にある、第１の制限接合部及びガス流量制限部の下流にある、第２の制限接合部で合流する複数の並列ガスラインを含むことができる。
【００２３】
ガスライン及び／または流量制限部を通るガス流量は、一般に、ガスラインまたは流量制限部の圧力差によって決定される。例えば、ガス導入ライン及び／またはガス流量制限アセンブリ上の第１の流量制限部を通るガス流量は、入口圧力、例えば、ガス導入ライン（Ｐin）に搬送されるガス供給部からの圧力と、制御ライン接合部（ＰA）における圧力との間の圧力差によって決定される。したがって、複数の切り替え可能な流量制限部をガス導入ライン上に配置することにより、ガス流量制御が改善される。したがって、複数のこのような流量制限部を配置することが適切であり得る。このような複数の制限部を、制限部の並列配置として、ガス導入ライン上に配置することが特に好ましい。複数の制限部は、切り換え可能であり、すなわちガスは、適切な１つまたは複数の制限部を介して、選択的に導かれ得る。
【００２４】
ガス導入ライン及び／または制限ガスライン上に１つまたは複数の弁を配置して、ガス導入ライン及び並列制限部を通るガスの流れを選択的に導くことができる。例えば、システムに、複数の並列流量制限部を設けることができる。このようにして提供された流量制限部は、第１の制限接合部でガス導入ラインに、第２の下流制限接合部でガス導入ラインに流体連結することができる。あるいは、流量制限ラインは、制御ライン上のガス流量コントローラの下流にある制御ラインに連結することができる。制限ガスラインは、複数のガスラインとして設けられる場合、好ましくは、ガス導入ライン及び／またはガス制御ラインとのそれらの接合部の上流の制限部から下流に併合することができる。
【００２５】
弁は、各流量制限部を通るガス流量を選択的に方向付け及び／または制御できるように、流量制限部の上流または下流のいずれかに適切に配置することができる。弁は、制限ガスライン上の各々上に弁として配置することができる。あるいは、１つまたは複数の制限部を通るガス流量を選択的に方向付けるために、複数の流量制限部の上流に配置された少なくとも１つの切替弁を設けることができる。したがって、適切に配置された弁の位置を調整することによって、流量制限部を通るガス流量を選択的に制御することができる。
【００２６】
幾つかの実施形態では、制限アセンブリは、２つの流量制限部を通るガス流量の比が、制限部を横切る同じ圧力差に関して、約１：２０〜１：１．５の範囲内、好ましくは約１：１５〜約１：１．５の範囲内、より好ましくは約１：１０〜約１：１．５の範囲内、さらにより好ましくは約１：７〜約１：２の範囲内、最も好ましくは約１：５〜約１：２の範囲内になるように構成された２つの並列な流量制限を含むことができる。
【００２７】
制限アセンブリはまた、流量制限部のうちの任意の２つを通るガス流量の比が、制限部を横切る同じ圧力差に関して、約１：２０〜１：１．５の範囲内、好ましくは約１：１５〜約１：１．５の範囲内、より好ましくは約１：１０〜約１：１．５の範囲内、さらにより好ましくは約１：７〜約１：１．５の範囲内、最も好ましくは約１：５〜約１：２の範囲内になるように適合された複数の並列流量制限部として設けられ得る。
【００２８】
本明細書に記載の流量制限部は、ガスラインにおける流量を制限するための当該技術分野において既知である任意の適切な制限から選択することができる。幾つかの実施形態では、流量制限部は固定流量制限部であってもよい。例えば、流量制限部としては、内径が適切に小さいキャピラリーを用いることができる。
【００２９】
一般に、ガス導入ライン及びガス制御ラインは、ガスを輸送するための任意のチャネル、チューブ、導管、キャピラリーなどとすることができる。さらに、これらのガスラインのいずれかまたは両方に、接合部、弁、流量制限部、流量制御部、ゲージなどのような追加の構成要素を配置することができることは当業者には明らかであろう。これらの構成要素は、ガス導入ライン及び／またはガス制御ラインと流体連結していてもよい。本明細書では連結されていると記載されているガスラインは直接連結することができ、または当業者に既知である適切な手段を介して流体連結することができる。
【００３０】
ガス制御ライン上のガス流量コントローラは、好ましくは、ガス制御ライン内のガス流量を制御する弁の下流に設けられ得る。ガス流量コントローラは、大気に開放されていてもよく、好ましくは、大気圧における、または大気圧に近い別のガスラインもしくはガス供給部に連結されていてもよい。
【００３１】
ガス制御ライン上のガス流量コントローラは、任意の適切なガス流量コントローラであってもよい。幾つかの実施形態では、コントローラは、背圧レギュレータ、マスフローコントローラまたは体積流量コントローラである。好ましい実施形態では、コントローラは背圧調整器である。
【００３２】
このシステムの幾つかの実施形態では、少なくとも１つの真空ポンプがガス流量コントローラの下流にあるガス制御ラインに流体連結されている。この真空ポンプは、単一のポンプとして設けられ得る。この真空ポンプはまた、順次配置された複数の真空ポンプとして設けられ得る。真空ポンプの排気は、大気に開放することができる。真空ポンプは、質量分析計の真空ポンプシステムの一部であってもよい。分析装置は、好ましくは真空下であり、例えば、同一の真空ポンプまたは真空ポンプの配列を使用して行われる。
【００３３】
本発明によるガス導入システムはまた、複数のガス制御ラインを含むシステムとして設けられ得る。複数のガス制御ラインとして設けられる場合、ガス制御ラインは、単一のガス流量コントローラに連結されることが好ましい。結果として、単一のガス流量コントローラを使用して、衝突ガスなどの複数のガスタイプの流れを調整することができる。別個のマスフローコントローラは、各ガス導入ラインに必要とされないので、費用を節約する。さらに、ガス流量コントローラを、分析装置に搬送するガスライン上に直接位置付けしないことが有用である。これは、マスフローコントローラなどのガス流量コントローラが、通常はあまりよく置換されず、さらにガス交換後に置換するのに長い時間がかかる、かなり大きなデッドボリュームを有しているからである。本発明によるガス導入システムは、直列ではなくむしろ別個のライン上の単一のフローコントローラを使用して、ガス導入ラインの背圧を制御するシステムを提供し、結果として、従来の直列での解決策と比較して、ガスを切り替えた後にシステムが平衡に達するのに必要な時間が最小限に抑えられる。
【００３４】
１つの配列では、本発明によるガス導入システムは、質量分析計の衝突セルのような低圧で動作する装置と組み合わせて提供される。したがって、ガス導入ラインは、質量分析計の衝突セルに流体連結され得る。
【００３５】
ガス導入ライン及びガス制御ライン上の弁がどちらも開いている場合、ガスは、ガス導入ライン及びガス制御ラインを通って流れることができる。ガス供給部（Ｐin）からの入口側圧力は、外部の減圧弁によって、例えばガスフラスコで定義され得る。制御ライン上のガス流量コントローラは、ライン内のガスの流量を調整する。ガス流量コントローラは、背圧調整器であり得る。このような構成では、ガス制御接合部（ＰA）の圧力は、背圧調整器によって決定される。ガス導入ラインを通ってガス制御接合部に向かうガスの流量は、ガス供給部（Ｐin）からの圧力と、ガス導入ライン上に配置されたガス制御接合部（ＰA）及び制限部での圧力との差によって決定される。システムは、例えば、ガス導入ライン上に比較的大きな制限部が存在して、増加した圧力に変化がある場合には、背圧調整器の設定変更に、より緩やかに応答する。背圧調整器による圧力設定の変更に続いて、システム（すなわち、圧力ＰA）は、ゆっくりと応答する。ガス導入ライン上のより小さな制限部への切り替え、例えば、より小さな制限部（例えば、より大きい内径キャピラリ）を有する制限ラインにガス流量を切り替えることによって、制御ライン接合部Ａに向かってガス流量が増加することになる。その結果、システムは、より速く平衡に達する（すなわち、圧力ＰAは、ガスが下部制限部を通って流れるときにより速く安定する）。背圧調整器による新しい設定に基づいてシステムが平衡に達すると、システム内のガス消費量を最小にするために、ガス流量をより大きな制限（ガス流量の減少）に切り替えることができる。
【００３６】
一般に、ガス制御ライン接合部Ａの圧力は、分析器の圧力（通常は非常に低く、特に、分析器が質量分析計の場合には非常に低い）から、ガス供給部（Ｐin）の圧力と同程度に高い範囲に調節することができる。背圧調整器及びガス導入ライン上の並列制限部を使用して、圧力を調節することにより、分析器へのガス流量（これはＡ（ＰA）及び分析器の圧力差によって決定される（非常に低い））を信頼性の高い効率的な方法で調整することができる。
【００３７】
制御ライン上のガス流量コントローラ、例えば背圧調整器が大気に開放されている配列では、ガス制御ライン接合部の最低圧力は、約１ｂａｒ（周囲圧力）である。しかしながら、システム内の流量範囲においてより大きいダイナミックレンジを達成するためには、例えば、弁定格に起因して、より低い圧力でシステムを作動させること、及びより高い流量範囲を達成するためにも有利であり得る。
【００３８】
したがって、システムの幾つかの実施形態では、少なくとも１つの真空ポンプが、ガス流量コントローラの下流にあるガス制御ラインに流体連結される。真空ポンプは、単一のポンプとして設けられ得る。真空ポンプはまた、順次配置された複数の真空ポンプとしても設けられ得る。真空ポンプの排気は、大気に開放することができる。真空ポンプはまた、質量分析計の真空ポンプシステムの一部でもあり得る。分析装置は、例えば、同一の真空ポンプを使用する、好ましくは真空下である。
【００３９】
制御ライン接合部の調節可能な圧力と組み合わされた、このシステムにおける流量制限部は、制御ライン接合部の下流にある、任意の望ましいガス流量を、分析装置に提供するように、選択することができる。したがって、分析装置へのガス流量は、一般に、約０．１〜約１００ｍＬ／分、または約０．２〜約５０ｍＬ／分、または約０．３〜約３０ｍＬ／分の範囲であり得る。さらに、ガス導入ラインへのガス圧力及びガス制御ライン接合部におけるガス圧力に依存して、存在する場合には、ガス導入ライン（好ましくは、制御ライン接合部の上流及び下流にそれぞれ配置される）上の第１の流量制限部及び第２の流量制限部を通るガス流量の比（例えば、制御ライン接合部と分析装置との間の導入ガス流量制限部）は、任意の所望の値をとることができる。この文脈では、第１の流量制限部は、（２つ以上の制限部がガス流量に対して開いているとき）、流量制限アセンブリの流量制限部のいずれか、またはそれらの組合せであってもよい。幾つかの実施形態では、第１の流量制限部及び第２の流量制限部を通るガス流量の、ガス入口での固定ガス圧力での比は、フローコントローラによって設定される背圧に依存して、約１：１〜約１０００：１、約１：１〜約５００：１、約１：１〜約１００：１、約１：１〜約５０：１または約１：１〜約２０：１の範囲内であり得る。幾つかの実施形態では、第１の流量制限部及び第２の流量制限部を通るガス流量の比は、１：１〜１０００：１の範囲、１：１〜５００：１の範囲、１：１〜１００の範囲、１：１〜５０：１の範囲、または１：１〜２０：１の範囲であり得る。幾つかの実施形態では、制限部は、第１の流量制限部及び第２の流量制限部を通るガス流量の比が、両方の制限部を横切る同じ圧力差に対して、１：１０〜１０：１の範囲、１：８〜８：１の範囲、１：５〜５：１の範囲、または１：３〜３：１の範囲内にあるように構成される。
【００４０】
また、システムが異なるガスと共に使用される場合、各ガスは異なるガス導入ラインに連結され得ることにも留意されたい。異なるラインに異なる制限部を取り付けることができるので、ガス供給圧力が一定に維持される場合でも、異なるガスについて異なる流量を達成することができる。このような各ガス導入ラインは、存在する場合、制御ライン接合部Ａにおけるガス流量の急激な変化を可能にするために、本明細書に記載されているような切り替え可能な流量制限部を備えることができる。
【００４１】
ガス制御ライン上のフローコントローラは、ガス導入ライン、特に制御ライン接合部の圧力を設定する。ガス制御ライン接合部の下流にある、ガス導入ライン上に存在し得る第２の流量制限部を通るガス流量は、この圧力（ＰA）と分析装置内の圧力との間の差に比例する。分析装置内の圧力は、２００ｍｂａｒ未満、１００ｍｂａｒ未満、５０ｍｂａｒ未満、４０ｍｂａｒ未満、３０ｍｂａｒ未満、２０ｍｂａｒ未満、１０ｍｂａｒ未満、５ｍｂａｒ未満、１ｍｂａｒ未満、０．０５ｍｂａｒ未満、０．０１ｍｂａｒ未満、０．００５ｍｂａｒ未満または０．００１ｍｂａｒ未満であり得る。第１のタイプの装置のための分析装置内の圧力は、約５〜２００ｍｂａｒ、約１０〜１００ｍｂａｒ、約１〜０．００１ｍｂａｒ、約０．１〜０．００１ｍｂａｒまたは約０．０１〜０．００１ｍｂａｒの範囲内であり得る。第２のタイプの分析装置については、装置内の圧力は、約０．１〜約１０-4ｍｂａｒ、約０．０１〜約１０-4ｍｂａｒ、または約０．００１〜約１０-4ｍｂａｒであり得る。このように、システム内の流量制限部の任意の所与の構成に対して、ガス流量コントローラを使用して、ガス制御ラインの背圧を設定し、それによって分析装置への流量を設定することができる。
【００４２】
ガス流量コントローラの設定を調節することによって、ガス制御ライン内の第２の背圧を第１の背圧とは異なるように設定することができ、分析装置への第２の流量をもたらす。ガス制御ライン接合部の上流にある、ガス導入ラインの代替及び／または追加の制限部を通るガス流量を可能にすることにより、システムは、制御ライン接合部での圧力が増加した場合、急速な平衡（制御ライン接合部での一定の圧力及び／またはガス流量）を達成することができる。システムが平衡に達した場合（すなわち、制御ライン接合部の圧力が新しいより高い値で安定した場合）、システムのガス流量を最小にするより高い制限に切り替えるスイッチ（制御ラインを通って排出されるガスの量を最小限に抑えることによって）を作ることができる。ガス流量コントローラの設定を変更することによって、分析装置への異なる流量を達成するように、背圧のさらなる調整を行うことができる。このようなさらなる調節の各々について、ガス導入ライン上の切り替え可能な流量制限部を使用して、ガス流量コントローラ設定の各変化に続いて、急速な平衡に達することができる。
【００４３】
ガス流量コントローラの設定間の変更は、制御ライン接合部で第１のガス流量を達成するために、第１の期間の間、第１のバイパスガスラインを通るガス流を迂回させることと、制御ライン接合部で第２のガス流量を達成するために、第２の期間の間、第１のバイパスガスラインと並列に配置された第２のバイパスガスラインを通るガス流を迂回させることと、を含み、第１のバイパスガスライン及び第２のバイパスガスラインは、２つのバイパスガスラインを通る流量がバイパスラインを横切る所与の固定されたガス圧力差に対して異なるように、異なる流量制限部を含む。その結果、第１のバイパスガスラインを通るガス流量を選択的に許容することによって、制御ライン接合部のガス流量を第１の流量から第２の流量に調節することができ、第２のバイパスガスラインを通るガス流量を選択的に許容することによって、制御ライン接合部のガス流量を第３の流量に調節することができる。同様の方法で、２つ以上の並列なバイパスガスラインを介して、ガス流を迂回させて、ガス流量をさらなるガス流量設定に調節することができる。
【００４４】
ガス制御ラインの背圧は、一般に、Ｐinよりも小さい値の、ガス導入ラインへの圧力（ガス供給部における圧力）とすることができる。この文脈では、「ｂａｒ（ｇ）」は、大気圧を超える圧力である「ｂａｒ（ｇａｕｇｅ）」を示し、「ｂａｒ（ａ）」は、絶対圧力である「ｂａｒ（ａｂｓｏｌｕｔｅ）」を示す。幾つかの実施形態では、背圧は、５ｂａｒ（ｇ）未満、１．５ｂａｒ（ｇ）未満、１ｂａｒ（ａ）未満、５００ｍｂａｒ（ａ）未満、２００ｍｂａｒ（ａ）未満または１００ｍｂａｒ（ａ）未満である。ガス制御ラインの背圧は、１ｍｂａｒ（ａ）超、または１０ｍｂａｒ（ａ）超、または５０ｍｂａｒ（ａ）超、または１００ｍｂａｒ（ａ）超であり得る。ガス制御ラインにおける好ましい範囲の背圧は、１．５ｂａｒ（ａ）〜１００ｍｂａｒ（ａ）、または１．５ｂａｒ（ａ）〜５０ｍｂａｒ（ａ）、または１．５ｂａｒ（ａ）〜１０ｍｂａｒ（ａ）、または１ｂａｒ（ａ）〜１００ｍｂａｒ（ａ）、または１ｂａｒ（ａ）〜５０ｍｂａｒ（ａ）、または１ｂａｒ（ａ）〜１０ｍｂａｒ（ａ）であり得る。このようにして、最大１０倍、最大５０倍、最大１００倍、最大１５０倍、最大２００倍、最大２５０倍などの広い流量の範囲を達成することができる。
【００４５】
ガス制御ライン内のガス流量を制御する弁は、ガス制御ライン上の弁として、またはガス制御ラインと流体連通するように、適切に設けることができる。ガス導入システム内に複数のガス制御ラインを設けることができ、複数のライン内のガス流量を制御するための少なくとも１つの弁を設けることも可能である。複数のガス制御ラインは各々、それぞれのガス導入ラインに連結することができる。そのようなガス導入ラインの各々は、本明細書に記載されるような切り替え可能な流量制限部を備えることができる。複数のガス制御ラインはまた、１つ以上のガス制御ライン接合部で合併することもできる。制御ラインは、１つの接合部ですべて合併することができる、または複数の接合部で合併することができる。制御ラインは、１つ以上のガス制御ライン接合部を介して、ガス制御ライン上のガス流量コントローラの上流にある、単一のガス制御ラインに合併することが好ましい。このようにして、単一のガス流量コントローラを使用して、ガス制御ライン内のガス流量を調整することができる。複数のガス制御ライン内のガス流量を選択的に制御するために、ガス制御ライン上に１つ以上の弁を設けることができる。この弁は、個々のライン上及び／または１つ以上のガス制御ライン接合部に設けることができる。
【００４６】
したがって、さらなる実施形態では、本発明によるガス導入システムを設けることができ、このシステムは、
−  各々が分析装置に流体連結された、複数のガス導入ラインと、
−  ガス導入ライン上に配置された、またはガス導入ラインに流体連結され、少なくとも２つの切り替え可能な流量制限部を備えた、少なくとも１つのガス流量制限アセンブリと、
−  それぞれのガス導入ラインに流体連結された複数のガス制御ラインと、を備え、
−  ガス制御ラインは、前記ガス流量コントローラの下流にある、１つ以上のガス制御ライン接合部で合併する。
【００４７】
一実施形態では、複数のガス導入ラインの各々に配置される、またはそれらに連結されるガスフロー制限アセンブリが存在し得る。このように配置されたガス流量制限アセンブリは、上述したように、２つ以上の並列流量制限を含むことができる。
【００４８】
ガス導入システムは、制御ライン接合部と分析装置との間のガス導入ライン上に配置された少なくとも１つの導入ガス流量制限部（「第２のガス流量制限部」）をさらに含むことができる。
【００４９】
本発明によるガス導入システムが複数のガス導入ラインを含むシステムとして設けられる場合、各ガス導入ラインのガス流量は、ガス導入ラインの各々のガス流量の一部を分離することによって、制御することができる。ガス入口ラインの各々におけるガスの流れは、少なくとも１つのガス供給部によって提供することができる。複数のガス供給部が使用される場合、複数のガス導入ラインは、分析装置内のガス組成に関して均等に達するのに必要な最小の切り替え時間で、分析装置内に流入するガス間で切り替えることができる。
【００５０】
複数のガス制御ラインとして設けられる場合、ガス制御ラインは、単一のガス流量コントローラに連結されることが好ましい。そのような設定の１つの利点は、単一のガス流量コントローラを使用して、衝突ガスなどの複数のガスタイプの流量を調整できることである。別個のマスフローコントローラは、従来技術と比較して、各ガス導入ラインに対して必要とされないので、コストを削減する。さらに、ガス流量コントローラを、分析装置に搬送するガスライン上に直接位置付けしないことが有利である。これは、マスフローコントローラなどのガス流量コントローラが、非常に大きなデッドボリュームを有し、ガス交換後に置換するのに長い時間を要するためである。
【００５１】
ガス導入ライン上の切り替え可能な流量制限部と組み合わせることにより、直列ではなくむしろ別個のライン上の単一のフローコントローラを使用して、ガス導入ラインの背圧を制御する解決策が提供され、切り替え可能な流量制限部の使用により、ガス交換後及び／または圧力設定変更後に、システムが平衡に達するのに必要な時間は、従来の直列での解決策と比較して、最小限に抑えられる。
【００５２】
また、少なくとも１つの流量制限部を、ガス制御ライン上に、または複数のガス制御ラインとして設けられた場合には、したがって設けられた制御ラインの内の１つ以上の上に設けることもできる。このような流量制限部によって、ガス制御ライン内のガス流量をさらに制御して、例えば、ガス制御ラインの逆拡散の危険を防止または最小限に抑えることができる。
【００５３】
システムが実際に適切なガス流量でガスを送達することを確実にするためには、ガス導入システム内のガス流量の正確な較正が重要である。ガス導入システムは、それらの物理的特性に重大な影響を及ぼし得る外部条件、特に温度の変化に敏感であり得る。例えば、ガスラインを通る質量流量は、温度がガス密度及びガス粘度に及ぼす影響により温度に依存する。結果として、温度変動は、実際のガス流量に重大な影響を及ぼす可能性がある。例えば、システム内のガス流量を調整するために使用されるガス流量コントローラ（またはコントローラ）の下流にある、流量制限部を包含するガス導入システムでは、温度変動の重要な影響があり、その結果、システムが連結されている分析装置へのガスの実際の流量は、ガス流量コントローラでのガス流量とは異なる場合がある。
【００５４】
ガス導入システム内のガス流量の正確な較正は、問題となり得る。これは、部分的には、一般に使用されるキャピラリーの機械的公差のために、制御圧力に対する質量流量の依存性の正確な較正が不可能であるという事実による。さらに、高精度な較正を達成するためには、温度を含むシステムの様々な特性を高精度で知る必要がある。
【００５５】
一般に、ガス密度は、以下のように任意の所与の温度で圧力の一次関数である。
【数１】
2018098208.tif 000003
【００５６】
結果として、密度は圧力によって直線的に変化する。質量流量は、次式により決定することができる。ここでａ1とａ0は密度と圧力の線形関係を表す係数である。
【数２】
2018098208.tif 000004
【数３】
2018098208.tif 000005
【００５７】
さらに、衝突セルへの質量流量は、ガス密度及び粘度に対する温度の影響により、温度に依存する。その結果、制御ライン接合部の下流にある、ガス導入ラインの少なくとも一部を、一定温度に維持することが望ましい。
【００５８】
したがって、一方では、ガス導入システム（または少なくともその一部）を一定温度に保ち、他方では、ライン上の任意のガス流量コントローラの下流にあるガス流量及び／または流量に影響を及ぼし、例えば温度変動に敏感であるシステム内の他の物理的構成要素を決定することが望ましい。
【００５９】
本発明はこれを達成するための手段を提供する。したがって、本発明のさらなる態様では、分析装置のガス導入システム内のガス流量を較正するためのシステムが設けられ、このシステムは、（ｉ）分析装置にガスを供給するためのガス導入ラインと、（ｉｉ）第１の較正接合部を介して、ガス導入ラインに流体連結されたガスフロー較正ラインであって、少なくとも１つのガス流量計を含むガスフロー較正ラインと、（ｉｉｉ）ガス導入ラインを介して分析装置に、または第１の較正接合部を介してガス流量較正ラインに、ガス流を選択的に導くための少なくとも１つの弁と、を備える。これにより、システム内のガス流は、少なくとも１つの弁の第１のガス流設定において、ガス導入ラインを介して、分析装置に導かれ、ガスフロー較正ラインをバイパスし、少なくとも１つの弁は、ガスフロー較正ラインを介して、分析装置に導かれる。結果として、第２のガス流設定におけるガスフロー較正ラインで測定されるガス流量は、較正接合部に向かうガス導入ラインに一定のガス流量が与えられた場合、第１のガス流設定における分析装置へのガス流量の測定値である。
【００６０】
関連するさらなる態様では、分析装置のガス導入システムでのガス流量を較正する方法が提供され、このガス導入システムは、少なくとも１つのガス供給部からのガスを分析装置に提供するための少なくとも１つのガス流量コントローラと、少なくとも１つのガス流量コントローラの下流にある、較正ライン接合部でガス導入ラインに流体連結された少なくとも１つのガス較正ラインと、を備え、この較正ラインは、少なくとも１つの較正ガス流量計を備える。
【００６１】
この方法は、（ａ）少なくとも１つのガス流量コントローラによって分析装置にガス流量を設定するステップと、（ｂ）第１の期間に、較正ガス流量コントローラによって決定された第１の流量でガス較正ラインを通ってガスを流し、同時に、ガスが較正ライン接合部の下流にある、ガス導入ラインを通って流れるのを防止するステップと、（ｃ）第１の期間のうちの少なくとも一部の間、ガス流量計によって、ガス較正ライン内のガス流量を決定するステップと、（ｄ）第１の期間に続いて第２の期間に、ガス導入ラインを通してガスを分析装置に流し、同時に、ガス較正ラインを通るガス流量を防止するステップと、を備え、第１の期間及び第２の期間中、ガス流量コントローラのガス流量設定は、一定値に維持され、ガス較正ライン及び較正ライン接合部と分析装置との間に位置するガス導入ラインの少なくとも一部は、一定の温度に維持される。その結果、第１の期間中にガス較正ラインで決定されるガス流量は、第２の期間中のガス導入ライン及び分析装置へのガス流量の測定値である。
【００６２】
較正システムは、一般に、システムによって較正されたガス流量、すなわち、較正ラインを通過しない流量が、分析装置への通常のガス流の流量制御パラメータの設定に依存しないように、ガス導入システム内の流量制御手段の下流に取り付けられるべきである。
【００６３】
幾つかの実施形態では、較正は、一端が、ガス導入ライン上において、ガス流量コントローラなどのガス流量制御手段の下流でガス導入ラインに連結される。較正ラインは、他端が、ガス導入ラインと分析装置との接合部に近接し得る下流位置で、ガス導入ラインに連結され得る。このような実施形態の１つでは、較正ラインは、システム内のガス制御手段の下流にある、第１の位置と、ガス導入ラインの接合部及び質量分析計の衝突セルのすぐ上流にある、第２の下流位置で、ガス導入ラインに連結される。
【００６４】
したがって、一実施形態では、ガス流量較正ラインは、第２の較正接合部でガス導入ラインにさらに連結され、システム内のガス流は、第２の設定において、ガス流量較正ラインを通って、第１の較正接合部から、第２の較正接合部へ導かれ、第２の較正接合部及び分析装置を連結するガス導入ラインの一部を介して、分析装置に導かれる。
【００６５】
あるいは、較正ガスラインは、ガス導入ラインと分析装置との接続部とは別の接続部を介して、分析装置に連結されてもよい。言い換えれば、較正ガスラインは、ガス導入システムのガスコントローラの下流にある、その端部の一方で、及びガス導入ライン及び分析装置の接続部から物理的に分離された接続部を通る分析装置の下流端部で、ガス導入ラインに連結され得る。
【００６６】
したがって、幾つかの実施形態では、ガス流量較正ラインは、ガス導入接合部から流体的に分離された較正導入接合部を介して、分析装置にさらに連結され、システム内のガス流は、第２の設定において、ガス流較正ラインを通って、第１の較正接合部から、較正導入接合部まで、及び分析装置内へと流れる。
【００６７】
一般に、較正ガス流量システムは、ガス流量、特に本明細書に記載のガス流量システムを較正できることが望ましい任意のガス流量システムと組み合わせることができることを理解されたい。
【００６８】
システム内のガス流が、システムの較正中にガス流から逸脱しないことを確実にするために、較正ライン及びガス導入ラインの少なくとも一部を一定温度に保つことが好ましい。一般に、温度の変化に敏感であり、システム内のガス流量コントローラの下流に一定温度で設置されたガス導入システムの較正ラインと任意の構成要素を維持することが有用である。
【００６９】
したがって、第１の較正接合部の下流にあるガス導入ラインの少なくとも一部を、一定温度に維持することが好ましい場合がある。幾つかの実施形態では、一定温度でガス導入ライン上のガス流量制御手段から分析機器まで伸びるガス導入システムの部分を維持することが好ましい場合がある。本明細書で説明されるように、ガス導入ラインのガス流量が、ガス制御ライン上に位置付けされたガス流量コントローラによって制御される場合、ガス制御ライン接合部と分析装置との間に一定温度で位置するガス導入ラインの部分を維持することが有用な場合がある。
【００７０】
好ましくは、温度は、その設定値の１０％未満（℃で）、より好ましくは５％未満、さらにより好ましくは４％未満、その設定値の３％未満または２％未満まで一定である。あるいは、温度は、＋／−５℃未満、より好ましくは＋／−４℃未満、さらにより好ましくは＋／−３℃未満、＋／−２℃未満、＋／−１℃、または＋／−０．５℃未満まで一定であり得る。
【００７１】
したがって、システムは、システムを囲むように適合されたハウジングをさらに備えることができ、ハウジングと、一定温度でハウジング内の構成要素を維持するための手段をさらに備えることができる。一般に、ハウジングは、較正ラインと、ガス流の温度変化の影響を受けやすく、システム内のガス流量コントローラの下流に設置されたガス導入システムの構成要素を囲むことができる。ハウジングは、少なくともガス流較正ラインと、第１の較正接合部から分析装置に延びるガス導入ラインの部分とを囲むことができる。あるいは、ハウジングは、ガス制御ライン接合部と分析装置との間に位置する、ガス導入ラインの部分を囲むことができる。
【００７２】
ガス流量を較正するためのシステムは、一般に、本明細書に一般的に記載されているようなガス導入システムの構成要素であり、較正システムは、通常、導入ガス流量制限部と分析装置との間に配置することができる。一実施形態では、較正システムは、導入ガス流量制限部の下流にある、ガス導入ラインに、上流端で連結され、分析装置の上流にある、ガス導入ラインに下流端で連結されるように配置される。あるいは、ガス流量較正システムは、その下流端において、ガス導入ラインをバイパスして、分析機器に直接連結することができる。
【００７３】
本発明によるガス導入システムは、少なくとも１つのガス供給部と組み合わせて提供され得ることを理解されたい。好ましくは、システム内のガス供給部からガス導入ラインへのガス流量を制御するための少なくとも１つの弁も設けられる。このシステムはまた、複数のガス供給部と共に使用するように構成することもできる。そのような配列では、各ガス供給部は、それぞれのガス導入ラインに連結することができる。さらに、存在する場合、複数のガス導入ラインに、上述のようなガス流量較正ラインを設けることができる。
【００７４】
本明細書に記載のガス導入システムは、少なくとも１つの弁の弁位置を制御するための少なくとも１つのコントローラを含むように構成することができる。コントローラは、少なくとも１つのシステムパラメータ、例えば、システム内のガスの存在及び／または不在、濃度、ガス流量及び／または圧力（システム内の１つ以上の地点）を反映するパラメータについての入力を受け取り、かつパラメータ情報に基づいて、少なくとも１つの弁に信号を提供することができるように、好ましくは適合され得る。システムパラメータはまた、ガス導入システムが連結されている衝突セル内のガス組成及び／または濃度及び／または圧力に関するデータを含むことができる。幾つかの実施形態では、コントローラは、少なくとも１つのガスの濃度または圧力または流量に関する入力を受信するように適合され、コントローラは、入力パラメータに基づいて、システム内の弁のうちの少なくとも１つの位置を調節することができる。幾つかの構成では、コントローラは、少なくとも１つの切替弁などの少なくとも１つの弁の位置を調節するように適合される。したがって、弁はまた、コントローラからの信号に応じてそれらの位置を変更するために、コントローラからの入力を受信することができるように適合される。コントローラはまた、システムの１つまたは複数の段階の間に経過した時間、例えば、システム内の衝突ガスのタイプが変更されてから過ぎた時間に関する入力を受信するように適合され得る。したがって、コントローラは、サンプルガス濃度、サンプルガスの存在またはサンプルガス不在、または時間パラメータに基づいて、１つまたは複数の弁の位置を調整するように適合され得る。コントローラによって制御される１つまたは複数の弁は、本明細書に記載される任意のガスライン（例えば、ガス導入ライン、ガス制御ラインなどの弁）上のいずれか１つまたは複数の弁を備えることができる。コントローラはまた、マスフローコントローラまたは背圧調整器等の、システム内の少なくとも１つのフローコントローラの位置を調整するように構成され得る。
【００７５】
本発明の特定の実施形態では、システムの１つ以上の接合部がＴ字接合部として設けられる。この文脈において、Ｔ字接合部は、３つの流路、すなわち３つのアームを包含する接合部の任意の接合部を意味する。Ｔ字接合部は、Ｔ字型、Ｙ字型、または３つの直交チャネルの接合部として設けられ得る。接合部は、３つのチャネルがすべて同じ平面内に位置する２次元接合部としてさらに設けられ得る、あるいは接合部は、３つのチャネルがすべて同じ平面内に位置しない（すなわち、三次元の「三脚」として）設けられ得る。
【００７６】
本発明によるシステムの構成要素、例えばガス導入ライン、流量制限アセンブリ、較正ライン及びガス制御ライン、また本明細書に記載されている接合部を含む構成要素は、機械加工されたブロック、すなわち１つの機械的部品内に設けられ得る。これは、システムの製造またはシステムの一部分を、金属ブロックなどの大量の材料から機械加工することによって行うことができることを意味する。さらに、機械加工されたブロック内に製造されているか否かにかかわらず、Ｔ字接合部を使用することにより、接合部の開口部を通る流量が完全な機械的制御下にあることが確実にされる。Ｔ字接合部の設計は、拡散経路が十分に分離されていることを確実にし、その流量特性が十分に決定され、予測可能であるため、システムのセットアップ及び較正を容易にする。
【００７７】
さらに、本発明は、例えば、分析システムにおいてガスを輸送するためのガス流を提供するキャリアガス導入システムを含む、当技術分野で既知のガス導入システムと組み合わせられ得ることを理解されたい。
【００７８】
上記の特徴及び本発明のさらなる詳細は、本発明をさらに説明することを意図しているが、決してその範囲を限定するものではない、以下の実施例においてさらに説明される。
【００７９】
当業者であれば、以下に説明する図面は説明のためのものに過ぎないことを理解するであろう。図面は、本教示の範囲を決して限定するものではない。
【図面の簡単な説明】
【００８０】
【図１】ガス流量コントローラが配置されたガス制御ラインを含むガス導入システムを示す。
【図２Ａ】本発明のガス導入システムの実施形態を示し、下流端がガス制御ラインに連結されたバイパスガスラインを含む。
【図２Ｂ】本発明のガス導入システムの実施形態を示し、下流端がガス導入ラインに連結されたバイパスガスラインを含む。
【図３】圧力設定の変化に続く時間の関数として、バイパス接合部を通るガス流量の不在（Ａ）または存在（Ｂ）における制御ライン接合部Ａでの圧力の変化を示す。
【図４】衝突セル内にガスを送達するガス導入ラインの図３に示す、圧力変化に対する質量分析計の衝突セルでの質量流量の変化を示す。
【図５】較正ガスライン、サーモスタッドチャンバ内にあるガス導入ライン及びガス較正ラインの一部を包含する質量分析計の衝突セルにガスを送達するためのガス導入ラインを示す。
【発明を実施するための形態】
【００８１】
以下、図面を参照しながら本発明の例示的な実施形態を説明する。これらの実施例は、本発明の範囲を限定することなく、本発明のさらなる理解を提供するために設けられる。
【００８２】
以下の説明では、一連のステップについて説明する。当業者であれば、文脈によって必要とされない限り、ステップの順序は、結果として得られる構成及びその効果にとって決定的ではないことを理解するであろう。さらに、ステップの順序にかかわらず、記述されたステップの幾つかまたはすべての間に、ステップ間の時間遅延の有無が存在し得ることは、当業者には明らかであろう。
【００８３】
本発明は、同位体分析、光学分光法によるガスの一般的な分析、質量分析技法または他のタイプの分光法技法測定法を含む、分析方法に適用可能であることを理解されたい。したがって、一般に、システム内で分析されているガスは可変である。さらに、本発明によるシステム及び方法は、光学分光計の好ましい実施形態に続く実施形態で説明されるが、本発明はまた、質量分析計を含む他の分光計にも適用可能であることを理解されたい。
【００８４】
図１を参照すると、ガス供給部１０から質量分析計の衝突セル１６にガスを送達するためのガス導入システムが示されている。衝突セルは、真空ポンプによって送り出され、結果として、システムは、高圧力から低圧へとガスを衝突セルに送達する。単一のガス供給部１０が示されているが、他の実施形態では、ガス供給部１０は、選択されたガスを衝突セルに供給するために、切り替え可能な複数の異なるガス源であってもよい。このシステムは、ガスライン接合部Ａのガス導入ライン１に連結されたガス制御ライン２を有する。第１の流量制限部１２及び第２の流量制限部１３が、ガス導入ライン上に配置されている。ガス導入ライン上に配置された弁１１、１４及びガス制御ライン２上の弁１９も存在する。フローコントローラとして機能する背圧調整器２０が、弁１９の下流のガス制御ライン上に配置されている。背圧調整器２０の下流には、真空ポンプ２１が設けられている。他の実施形態では、背圧調整器はポンプ輸送されず、代わりに排気ラインを介して単に大気に排気されてもよい。
【００８５】
ガスが衝突セル内に送達されない場合、弁１４及び場合によって弁１９（または弁１１）は閉じたままである。弁を開くと、ガスが制限部１２を通って制御ライン接合部Ａに向かって流れる。システム（ＰA）におけるこの点の圧力は、背圧調整器２０によって調整される。したがって、制限部１２を通るガス流は、Ｐin、ガス供給部からの圧力、及び制御ライン接合部Ａの圧力ＰAによって決定される。ガス流は、制御ライン接合部から、第２の流量制限部１３を通り、衝突セル１６へと続く。衝突セル内の圧力は非常に低く、例えば、０．０１ｍｂａｒ以下であるため、第２の制限部を通る流量は、ポアズイユの式に従ってＰAによって制御される。
【００８６】
一般に、ガス導入システム内の質量流量は、以下の式によって計算することができる。
【数４】
2018098208.tif 000006
【００８７】
図１に示すように、それぞれ
2018098208.tif 000007
が制限１２、１３及び１９の質量流量である場合、Ｇ1及びＧ2は、それぞれ接合部Ａの上流及び下流のガス導入ラインのコンダクタンスであり、Ｐin、ＰA及びＰOは、それぞれガス源、制御ライン接合部及び衝突セルでの圧力であり、Ｔは温度であり、Ｒはガス定数である。
【００８８】
システム内の流量は、Ｐin及び／またはＰAを変えることによって、及び／または流量制限部１２、１３を変更することによって調節することができる。例えば、ＰAを２倍にすると、第２の流量制限部１３を通る流量の約４倍の増加、ＰAの５倍の増加は流量の２０倍超の増加などをもたらす。
【００８９】
制御ライン２を通る流量がガス導入ラインへの逆拡散が起こらないように常に十分に高くシステムを構成するときは注意が必要である。しかしながら、これは、システム内の圧力と制限を調節し、ガス制御ラインの制限部を調整することによって達成可能である。
【００９０】
真空ポンプ２１は、大気に開放された排気を有することができる。しかしながら、複数の真空ポンプ、例えば連続的に配置されたポンプをシステムと共に使用することもでき、シーケンスの最終ポンプは大気への排気を有する。真空ポンプ２１はまた、質量分析計の真空ポンプシステムの一部であってもよく、または質量分析計の真空ポンプシステムに連結されていてもよい。真空ポンプ２１及び１６は、幾つかの実施形態では、同じポンプまたは同じポンプシステムの一部であってもよい。
【００９１】
複数のガスのガス流量を単一のフローコントローラを用いて個別に制御できるように、システムをセットアップすることができる。一例として、ガス制御ライン２は、第１のガスを運ぶ第１のガスラインを備えた第１の接合部を有し、第２のガスを運ぶ第２のガスラインを備えた第２の接合部を有する第１の分岐を有するように、分岐され得る。各分岐は、各ガスラインからの流れを制御するための弁を有する（例えば、一方のガスラインから一方の分岐へのガス流を流すが、他方のガスラインから他方の分岐には流入させない）。当業者であれば、このような設定は、追加のガスラインを介して任意の数のガスに対して等しく適用できることを理解するであろう。
【００９２】
図１の設定では、衝突セル内の低ガス圧から高ガス圧への移行（すなわち、セルへの低ガス流量からセルへの高ガス流量への移行）が、所望の時間より長くかかる場合がある。本発明の目的は、この問題に取り組むことである。
【００９３】
図２Ａでは、図１のシステムと同様のガス導入システムが示されており、したがって、同様の部品は同様の参照番号を有する。ガス導入システムは、第１の接合部４で導入ガスライン１に連結され、接合部５で制御ラインに連結されるバイパスガスライン３を含む。バイパスガスラインは、バイパスライン内のガス流量を調整するための制限部１８及び弁１７を包含する。このようにして、追加の制限部１８が、ガス導入ライン上の制限部１２と並列にバイパスライン上に設けられていることが分かる。制限部１８は、好ましくは、ガス導入ライン１上の制限部１２よりも制御ライン接合部Ａでの所与の圧力に対してより大きいガス流量を許容するように設けられる。しかしながら、制限部１２と比較して同量のまたは少ない流量を提供する制限部１８でさえ、弁１１と１７の両方が開いている場合、総ガスコンダクタンスが制限部１２と１８を通るコンダクタンスの和であるので、ガス供給部１０からの増加した流量を制御ライン接合部Ａにさらに提供する。
【００９４】
図２Ｂに示すシステムは、制御ライン接合部Ａの上流にある、ガス導入ライン上に接合部５（第２の制限接合部）が設置されている場合のみ、図２Ａに示されるそれと異なる。２つの構成は、制御ライン接合部での流量／圧力の調整に関して同一の結果を提供することが理解されるであろう。図示されたシステムでは、他の部品及びその機能は同一である。以下の説明は、図２Ａ及び図２Ｂ両方の図に示されるようなシステムに適用される。
【００９５】
供給部１０からバイパスライン３を通って（弁１７を開くことによって）ガス流量を許容することにより、必要に応じて、制御ライン２（及び、それにより制御ライン接合部Ａ）へのガス流量を増加させることができる。その結果、背圧調整器２０の設定値が制御ライン接合部Ａの圧力を増加させるように（及び、それにより衝突セルへの流量を増加させるように）増加した圧力設定値に変更されると、システム内の流量は、ガス導入ライン１及び制限部１２のみを通る流量を許容するのと比較して、バイパスラインが開いている場合、より速く新しい平衡に達する。これは、全体のコンダクタンスが増加するという事実の結果である、すなわち、ガス源Ｇ1（ガス導入ライン）及びＧbp（ガスバイパスライン）から離れる２つのガスラインの総コンダクタンスＧTは、代数的２つのコンダクタンスの合計である。
【数５】
2018098208.tif 000008
【００９６】
追加の並列バイパスラインがシステム内に設けられている場合、ガスコンダクタンス全体は、ガス流量に対して開いている各ガスラインの個々のコンダクタンスの合計である。ここで、Ｇｎは個々のガスラインのガスコンダクタンスである。
【数６】
2018098208.tif 000009
【００９７】
システム内のガス消費量を最小にするために、バイパスラインは、Ａ（ＰA）のガス圧が一定値に達するか、または実質的に一定値（平衡）に達するまでガス流量に開放されたままにすることができる。この時点で、弁１７を閉じ、ガスタンク１０から制御接合部Ａへのガス流量を制限部１２によって決定することができる。
【００９８】
設定の利点は、図３に示すデータによって示される。ガス制御ライン接合部Ａ（ＰA）でのガス圧力は、０．２ｂａｒ〜０．６ｂａｒに設定された背圧調整器のスイッチに続いて、時間の関数として示される。下側の曲線（Ａ）は、図１に示すようなガス導入システム、すなわち、バイパス接合部を包含しないシステムの圧力変化を示す。明らかに、この挙動は、図２のシステムのバイパスガスラインを通るガス流がない場合にも観察されるであろう。背圧調整器の設定値が変更された後、制御ライン接合部Ａに向かうガス流量が制限部１２によって決定されるため、システムは、（Ａ）に示すように、かなりゆっくりと応答する。上側の曲線（Ｂ）は、図２に示すシステムの利点を示す。バイパスガスラインを通るガス流量を許容することにより、システムは、４以上の因数によって図示された場合では、圧力設定値の変化に非常に迅速に応答する。図示の例では、ガス導入ラインとバイパスライン両方の内径は、それぞれ０．１ｍｍ、長さは１０ｃｍと５ｃｍである。あるいは、バイパスライン上の制限部がガス導入ライン上の制限部よりも大きい内径を有する場合、平衡にさらに早く到達することができる。本明細書に記載のガスライン上の制限部は、各ライン上に存在する最小内径によって効果的に提供される。ガスラインの一部またはガスライン全体に、制限部を提供する内径を設けることができる。
【００９９】
制御接合部Ａの圧力が一定値（平衡）に達すると（図示の場合、５秒より僅かに少なく）、弁１７を閉鎖することができ、それにより、ガス流を減少させて市システム内のガス消費量を最小にする。バイパスガスラインを通る流量がない場合（またはシステム内にバイパスガスラインがない場合）の平衡までの対応する時間は、比較して約１６秒である。分析測定を行うことができる場合、衝突セル内の新しい平衡圧力に達するために必要な時間が大幅に短くなるため、装置は異なる衝突セル圧力間で調節する時間が少なくなるので、装置をより効率的に使用することができる。
【０１００】
制御ライン接合部Ａの圧力を急速に低下させるために、ガスポンプを使用して余分なガスを吸い取ることができる。これは、ポンプが制御ラインを介して、過剰のガスを除去して減少した定常状態の圧力に達する間、バイパスガスラインが閉じたままにされ、それによって、制御ライン接合部に向かう質量流量を最小化する場合に最も効率的である。
【０１０１】
図４では、対応するデータが示され、衝突セルのすぐ上流、すなわちガス導入システムの下流にある、質量流量計（ＭＦＭ）を用いて質量流量を監視する。測定は制御ライン接合部Ａの下流で行われるため、図３のデータと比較して図４に示すデータには僅かな時間遅延がある。それにもかかわらず、バイパスラインを使用する利点は明らかであり、衝突セルへの質量流量は、圧力設定値の変更後約６秒にほぼ一定値に達し、バイパスラインがない場合、システムは平衡に達するまで約１７秒かかる。したがって、バイパスラインを使用する利点は、非常に明確である。
【０１０２】
このシステムは、ガス消費量を最小限に抑えながら、同時に広範囲内で流量を変化させることができる。例えば、１〜１０ｍＬ／分の流量を衝突セル１６に調整できることが望ましい場合を考える。これを単一のガス導入ライン（バイパスガスラインなし）で達成するには、ガス源から少なくとも１０ｍＬ／分のガス流量が必要である。低ガス流量設定値、例えば、１ｍＬ／分では、ガスのほとんど（９ｍＬ／分）は、ガス制御ラインに送り込まれ、ガスの１／１０しか実際に衝突セルに入ることがない。衝突セルへのガス流量を１０ｍＬ／ｍｉｎに設定すると、制御ラインにガスが流れない。実際には、ガス流量制御ラインには、約１ｍＬ／分の最小ガス流量が維持され、ガス供給部からの総流量１０ｍＬ／分に対して、衝突セルへの最大ガス流量が約９ｍＬ／分を達成することができることを意味する。それにもかかわらず、システムが衝突セルへの低ガス流量でかなりの時間使用されると、かなりの不必要なガス消費量が生じる。
【０１０３】
システム内のガス消費量は、１つ（または複数の）のバイパスガスラインを使用することによって、低減することができる。例えば、２つの並列ガスライン（そのうちの１つはバイパスガスライン）があり、１つはガス流量を最大５ｍＬ／分まで、そして最大１０ｍＬ／分まで許容することができる。衝突セルへのガス流量が低い場合（例えば、１〜５ｍＬ／分の流量）、第１のガスラインを排他的に使用することができる。より高い流量が必要な場合、ガス流量は、最大１０ｍＬ／分までの流量を許容する他のガスライン（例えば、バイパスガスライン）に迂回され得る。これにより、システムに送達されるガスの使用量が増加し、（ガス制御ライン上のガスポンプを介して）廃棄されるガスの量が最小限に抑えられる。あるいは、並列ガスラインの各々は、最大５ｍＬ／分までのガス流量を許容することができ、これは、第１の設定値では、衝突セルへのガス流量を最大５ｍＬ／分に調整するために、ガスをラインの１つを通って流すことができ、第２の設定値では、衝突セルへのガス流量を５ｍＬ／ｍｉｎから最大１０ｍＬ／ｍｉｎに調整するため、ガスは両方のライン（ガス導入ラインとバイパスライン）を通って流れることが意味する。
【０１０４】
明らかに、個々のガスラインのうちの１つまたは任意の組み合わせを通ってガス流を導くことによって、任意の所望の流量を達成するために、追加の制御ラインを設けることができる。この利点は、システムへの余分なガス流量を最小限に抑える可能性にあり、それによって、ガス制御ライン上の背圧調整器を介して送り出されるガスの量を最小限に抑えることによって、ガス消費量を低減することができる。
【０１０５】
図５では、ガス流量用の較正ラインを含むガス導入システムが示される。図示されたガス導入システムは、追加の較正ライン２６を備えた図１に示されるようなガス導入システムを含む。ガス較正ラインには、２つの弁２３、２５だけでなく、ガス較正ライン上のガス流量コントローラ２４がある。ガス較正ラインは、第１の較正接合部Ｃ1及び第２の較正接合部Ｃ2でガス導入ラインと合流する。第１の較正接合部Ｃ1は、ガス導入ライン上の流量制限部１３の下流に設置される。第１の較正接合部Ｃ1と第２の較正接合部Ｃ2との間には、ガス導入ライン上の弁２２がある。好ましくは、ガス較正ラインは、ガス導入ライン上の任意のガス流量コントローラ（図１または図２の背圧調整器など）の下流に、すなわちこの例では、制御ライン接合部Ａの下流に設置され、それによって、ライン内のガス流量に基づくガス流量較正は、ガス導入ライン内のガス流量を表し、衝突セルに流入する。
【０１０６】
ガス較正ラインと、第１の較正接合部から第２の較正接合部（Ｃ1、Ｃ2）に伸びるガス導入ラインの部分は、断熱チャンバ３０内に取り付けられる。制御ライン接合部Ａの下流にある、ガス導入ライン上の流量制限部１３もまた、断熱チャンバ内に取り付けられる。チャンバ内の温度は、追加の加熱または冷却手段及び／またはサーモスタットハウジングの手段など他の従来の手段を使用して調節することができる。好ましくは、制限部１３及び弁１４は、図示のように、断熱チャンバ３０内に取り付けられる。このようにして、制御ライン接合部の下流にある質量流量率に対する温度変動の影響を最小限に抑えることができ、それにより、正確な較正を提供することができる。
【０１０７】
示された例では、較正ラインは、ガス入口２７から衝突セル１６のすぐ上流にある、第２の較正接合部Ｃ2で、ガス導入ラインと合流する。あるいは、較正ガスラインは、衝突セルに、すなわち、図５に破線で示すように、ガス入口２７から流体的に分離されたガス接続部／ガス入口２８を介して、別個に連結され得る。
【０１０８】
したがって、較正ライン及び制御ライン接合部の下流にあるガス導入ラインの部分（例えば、ガス導入ライン上の流量制限部１３を含む）を一定温度に保つことによって、質量流量に対する温度変動の影響は、最小限に抑えられ得る。結果として、ガス導入ラインのガス流量は、ガス流量をガス較正ラインに搬送し、ガス導入ライン上の弁２２を閉じ、弁２３（及び、前に閉じた場合は弁２５）を開くことによって決定され得、較正ライン上の質量流量計（ＭＦＭ  ２４）を使用して流量を測定する。流量の較正に続いて、弁２３及び弁２５を閉じ、弁２２を開けて、較正された衝突セルに、ガス導入ラインに沿ってガスが流れることを許容する。較正ライン上の質量流量計を使用して測定される圧力対ガス流量の関係は、恒温ハウジング３０内のガス導入ラインが一定温度に保たれた状態で、衝突セルへの流量を正確に設定するために使用され得る。別の較正ライン上の質量流量計を用いたこの設定のさらなる利点は、使用時に、ガスがガスフローラインを通って衝突セルに流入する際に、衝突セルに通じるガス流に大きなデッドボリュームがないことである。図５に示す較正システムは、図２の「制限バイパスアセンブリ」システムと組み合わせて使用することができることが理解されよう。
【０１０９】
図１及び図２の実施形態は、較正目的のために修正することができ、制御ライン接合部と衝突セルとの間のガス導入ライン自体の質量流量計ＭＦＭに沿って、流量制限部１３を含む制御ライン接合部Ａの下流にある、ガス導入ライン１を恒温ハウジングの内部に設ける。しかしながら、この設定は、ＭＦＭの存在によって引き起こされるデッドボリュームを回避する利点を有さない。
【０１１０】
明らかに、例えばガス制御ラインのようなガス導入システムの追加構成要素は、例えば、構成要素を熱制御されたハウジング内に取り付けることによって、温度制御することができる。ハウジングは、例えば、断熱壁を含み、ハウジングを一定温度に維持する１つ以上の空気サーモスタットを含むことができる。
【０１１１】
さらに、上記で説明した較正機能は、較正ラインがガス導入ライン内の任意のガス流量コントローラの下流に、及びガス導入ライン上の流量制限部の下流に取り付けられている限り、一般にガス導入ライン上で実装することができる。例えば、較正ラインは、本明細書に記載されているような任意のガス導入システム、例えば、ガス流量設定値の変化に続いて急速な定常状態のガス流を達成するための少なくとも１つのバイパスラインを包含するガス導入システムで実施され得る。しかしながら、当業者は、較正機能が分析システムの他のガスラインでも実施できることを理解するであろう。
【０１１２】
本発明のガス導入システムは、例えば、質量分析計の衝突セルへのガス流量を提供するという文脈において上記で説明したが、本発明は、他のタイプの分析装置、特にガスが多数の異なる選択された圧力で供給される真空ポンプ装置にガスを供給するために使用できることが理解されよう。
【０１１３】
特許請求の範囲を含む本明細書で使用するように、単数形の用語は、文脈がそうでないことを示さない限り、複数形を含むと解釈され、逆もまた同様であると解釈される。したがって、本明細書で使用されるように、単数形「ａ」、「ａｎ」及び「ｔｈｅ」は、文脈上他に明確に指示されない限り、複数の参考文献を含むことに留意すべきである。
【０１１４】
「備える」、「含む」、「有する」及び「包含する」という用語及びそれらの変形は、「含むがこれに限定されない」を意味すると理解すべきであり、他の構成要素を排除することを意図するものではない。
【０１１５】
なお、本発明の範囲内に入るものであれば、本発明の範囲を逸脱することなく、本発明の前述の実施形態の変形を行うことができることが理解されよう。本明細書に開示された特徴は、他に言及しない限り、同じ、同等または類似の目的を果たす代替の特徴によって置き換えることができる。したがって、他に述べられていない限り、開示された各特徴は、同等または類似の特徴の包括的な一連の一例を表す。
【０１１６】
「例えば」「のような」「例えば」などの例示的な言語の使用は、単に本発明をよりよく説明することを意図しており、請求されていない限り、本発明の範囲を限定するものではない。文脈上特に明記しない限り、明細書に記載されているステップは、任意の順序で、または同時に実行することができる。
【０１１７】
本明細書で開示される特徴及び／またはステップのすべては、少なくとも幾つかの特徴及び／またはステップが相互に排他的である組み合わせを除いて、任意の組み合わせで組み合わせることができる。特に、本発明の好ましい特徴は、本発明のすべての態様に適用可能であり、任意の組み合わせで使用することができる。
【図１】
2018098208.tif 000010
【図２Ａ】
2018098208.tif 000011
【図２Ｂ】
2018098208.tif 000012
【図３】
2018098208.tif 000013
【図４】
2018098208.tif 000014
【図５】
2018098208.tif 000015
【外国語明細書】
2018098208000001.pdf